(57)【要約】      （修正有）【課題】高ロフトのクラブヘッドにおけるショットのばらつきを低減できるゴルフクラブヘッドを提供する。【解決手段】ゴルフクラブヘッド１００は、打撃フェースであって、フェースセンター、および打撃フェースに対してほぼ平行な仮想打撃フェース面を有する。ゴルフクラブヘッドは、ソール部分と、トップ部分と、後部分と、４０°以上のロフトＬとをさらに含む。打撃フェース面に対して垂直な仮想垂直面は、フェースセンターを通過する。クラブヘッド重心は、６．０ｍｍ以下の距離だけヒール−トゥ方向に仮想垂直面から離間される。ゴルフクラブヘッドは、ゴルフシャフトを受けるように構成された内部ボア１５８を含むホーゼル１１０をさらに含む。内部ボアは、周辺側壁１６０と、ゴルフクラブシャフトの先端に当接するように構成されたシャフト当接面１６２とを含む。ホーゼルは、さらに、内部ボアの当接面からソール方向に延びる補助凹部１５６を含む。【選択図】図５
2018057834.tif 000002
【特許請求の範囲】
【請求項１】
ゴルフクラブヘッドであって、基準位置に配向されたとき、
打撃フェースであって、フェースセンター、リーディングエッジ、および該打撃フェースに対してほぼ平行な仮想打撃フェース面を有する打撃フェースと、
ソール部分と、
トップ部分と、
後部分と、
４０°以上のロフトＬと、
該打撃フェース面に対して垂直であり、該フェースセンターを通過する仮想垂直面と、
６．０ｍｍ以下の距離Ｄ１だけヒール−トゥ方向に該仮想垂直面から離間されたクラブヘッド重心と、
仮想ホーゼル軸と、ゴルフシャフトを受け入れるように構成された内部ボアとを含むホーゼルであって、該内部ボアは、周辺側壁と、該ゴルフクラブシャフトの先端部に当接するように構成されたシャフト当接面とを含み、該ホーゼルは、さらに、該内部ボアの該当接面からソール方向に延びる補助凹部を含む、ホーゼルと
を備える、ゴルフクラブヘッド。
【請求項２】
該当接面が、該ホーゼル軸の半径方向に測定して、１ｍｍ以上の幅を有する環状レッジを含む、請求項１に記載のゴルフクラブヘッド。
【請求項３】
該補助凹部が、該ホーゼル軸の方向に測定して、５ｍｍ以上の深さを含む、請求項１に記載のゴルフクラブヘッド。
【請求項４】
該距離Ｄ１が、５．５ｍｍ以下である、請求項１に記載のゴルフクラブヘッド。
【請求項５】
該距離Ｄ１が、５．０ｍｍ以下である、請求項４に記載のゴルフクラブヘッド。
【請求項６】
該重心が、２．０ｍｍ以下の最小距離Ｄ２だけ前記打撃フェース面から離間される、請求項１に記載のゴルフクラブヘッド。
【請求項７】
該距離Ｄ２が、１．０ｍｍ以下である、請求項６に記載のゴルフクラブヘッド。
【請求項８】
該リーディングエッジと該仮想垂直面との交点に位置する点Ｐ１
さらに備え、
該重心は、Ｄ３≧２９．５ｍｍ−（０．３ｍｍ／°）×Ｌとなるような、距離Ｄ３だけ該点Ｐ１から垂直方向に離間される、
請求項１に記載のゴルフクラブヘッド。
【請求項９】
Ｄ３≧２９．８ｍｍ−（０．３ｍｍ／°）×Ｌである、請求項８に記載のゴルフクラブヘッド。
【請求項１０】
該補助凹部が、少なくとも部分的に充填されている、請求項１に記載のゴルフクラブヘッド。
【請求項１１】
該補助凹部が、該ソール方向に幅がテーパになる、請求項１に記載のゴルフクラブヘッド。
【請求項１２】
上側端部および仮想ホーゼル軸を有するホーゼルと、
該ホーゼル上側端部から地面まで該仮想ホーゼル軸に沿って測定して、７５ｍｍ以下である距離Ｄ４と
をさらに備える、請求項１に記載のゴルフクラブヘッド。
【請求項１３】
該打撃フェースが、さらに、表面ミル加工されたテクスチャパターンを含む、請求項１に記載のゴルフクラブヘッド。
【請求項１４】
５．７０ｍｍ以下の最大トップライン厚さＤ５をさらに備える、請求項１に記載のゴルフクラブヘッド。
【請求項１５】
ゴルフクラブヘッドであって、基準位置に配向されたとき、
ソール部分と、
トップ部分と、
ヒール部分と、
トゥ部分と、
打撃フェースであって、フェースセンター、リーディングエッジ、該打撃フェースに対してほぼ平行な仮想打撃フェース面、およびヒールに最も近い部分およびトゥに最も近い部分を有する複数のスコアラインを有する打撃フェースと、
ゴルフシャフトを受けるように構成された内部ボアを有するホーゼル部分と、
該打撃フェース面に垂直であり、該複数のスコアラインの該ヒールに最も近い部分を通過する第１の仮想垂直面と、
該第１の仮想垂直面のヒール方向に位置する該クラブヘッドの全体部分として画定されたヒールに最も近い領域と、
その大部分が該ヒールに最も近い領域内に位置するようにボリュームを区切る凹状領域と、
４０°以上のロフトＬと、
該打撃フェース面に対して垂直であり、該フェースセンターを通過する、第２の仮想垂直面と、
６．０ｍｍ以下の距離Ｄ１だけヒール−トゥ方向に該第２の仮想垂直面から離間されたクラブヘッド重心と
を備える、ゴルフクラブヘッド。
【請求項１６】
該凹状領域が、全体的に、該第１の仮想垂直面のヒール方向に位置する、請求項１５に記載のゴルフクラブヘッド。
【請求項１７】
該凹状領域が、該ホーゼル部分の該内部ボアと連通している、請求項１５に記載のゴルフクラブヘッド。
【請求項１８】
該凹状領域が、５ｍｍ以上の深さを含む、請求項１５に記載のゴルフクラブヘッド。
【請求項１９】
該距離Ｄ１が、５．５ｍｍ以下である、請求項１５に記載のゴルフクラブヘッド。
【請求項２０】
該距離Ｄ１が、５．０ｍｍ以下である、請求項１９に記載のゴルフクラブヘッド。
【請求項２１】
該重心が、２．０ｍｍ以下の最小距離Ｄ２だけ該打撃フェース面から離間される、請求項１５に記載のゴルフクラブヘッド。
【請求項２２】
該距離Ｄ２が、１．０ｍｍ以下である、請求項２１に記載のゴルフクラブヘッド。
【請求項２３】
該リーディングエッジと該仮想垂直面との交点に位置する点Ｐ１
をさらに備え、
該重心は、Ｄ３≧２９．５ｍｍ−（０．３ｍｍ／°）×Ｌとなるような、距離Ｄ３だけ該点Ｐ１から垂直方向に離間される、
請求項１５に記載のゴルフクラブヘッド。
【請求項２４】
該凹状領域が、少なくとも部分的に充填される、請求項１５に記載のゴルフクラブヘッド。
【請求項２５】
該補助凹部が、該ソール方向に幅がテーパになる、請求項１５に記載のゴルフクラブヘッド。
【請求項２６】
上側端部および仮想ホーゼル軸を有するホーゼルと、
該ホーゼル上側端部から地面まで該仮想ホーゼル軸に沿って測定して、７５ｍｍ以下である距離Ｄ４と
をさらに備える、請求項１５に記載のゴルフクラブヘッド。
【請求項２７】
該打撃フェースが、さらに、表面ミル加工されたテクスチャパターンを含む、請求項１５に記載のゴルフクラブヘッド。
【請求項２８】
５．７０ｍｍ以下の最大トップライン厚さＤ５をさらに備える、請求項１５に記載のゴルフクラブヘッド。
【請求項２９】
ゴルフクラブヘッドであって、仮想地面に対して基準位置に配向されたとき、
打撃フェースであって、フェースセンター、リーディングエッジ、および該打撃フェースに対してほぼ平行な仮想打撃フェース面を有する打撃フェースと、
ソール部分と、
トップ部分と、
後部分と、
４０°以上のロフトＬと、
該打撃フェース面に対して垂直であり、該フェースセンターを通過する仮想垂直面と、
該リーディングエッジと該仮想垂直面との交点に位置する点Ｐ１と、
５．５ｍｍ以下の距離Ｄ１だけヒール−トゥ方向に該仮想垂直面から離間された重心であって、Ｄ２≦３．５８ｍｍ−（０．０５３ｍｍ／°）×Ｌとなるような、最小距離Ｄ２だけ該打撃フェース面から離間され、Ｄ３≧２９．５ｍｍ−（０．３ｍｍ／°）×Ｌとなるような、距離Ｄ３だけ該点Ｐ１から垂直方向に離間される重心と
を備える、
ゴルフクラブヘッド。
【請求項３０】
該距離Ｄ１が、５．０ｍｍ以下である、請求項２９に記載のゴルフクラブヘッド。
【請求項３１】
該距離Ｄ２が、２．０ｍｍ以下である、請求項２９に記載のゴルフクラブヘッド。
【請求項３２】
該距離Ｄ２が、１．０ｍｍ以下である、請求項３１に記載のゴルフクラブヘッド。
【請求項３３】
Ｄ３≧２９．８ｍｍ−（０．３ｍｍ／°）×Ｌである、請求項２９に記載のゴルフクラブヘッド。
【請求項３４】
上側端部および仮想ホーゼル軸を有するホーゼルと、
該ホーゼル上側端部から地面まで該仮想ホーゼル軸に沿って測定して、７５ｍｍ以下である距離Ｄ４と
をさらに備える、請求項１に記載のゴルフクラブヘッド。
【請求項３５】
該打撃フェースが、さらに、表面ミル加工されたテクスチャパターンを含む、請求項２９に記載のゴルフクラブヘッド。
【請求項３６】
５．７０ｍｍ以下の最大トップライン厚さＤ５をさらに備える、請求項２９に記載のゴルフクラブヘッド。
【請求項３７】
ゴルフクラブヘッドであって、基準位置に配向されたとき、
打撃フェースであって、フェースセンター、リーディングエッジ、および該打撃フェースに対してほぼ平行な仮想打撃フェース面を有する打撃フェースと、
ソール部分と、
トップ部分と、
後部分と、
４０°以上のロフトＬと、
該打撃フェース面に対して垂直であり、該フェースセンターを通過する仮想垂直面と、
該リーディングエッジと該仮想垂直面との交点に位置する点Ｐ１と、
５．０ｍｍ以下の距離Ｄ１だけヒール−トゥ方向に該仮想垂直面から離間され、０．５０ｍｍ以下の最小距離Ｄ２だけ該打撃フェース面から離間され、Ｄ３≧２９．５ｍｍ−（０．３ｍｍ／°）×Ｌとなるような、距離Ｄ３だけ該点Ｐ１から垂直に離間される重心と
を備える、
ゴルフクラブヘッド。
【請求項３８】
該距離Ｄ１が、５．０ｍｍ以下である、請求項３７に記載のゴルフクラブヘッド。
【請求項３９】
該距離Ｄ２が、２．０ｍｍ以下である、請求項３７に記載のゴルフクラブヘッド。
【請求項４０】
該距離Ｄ２が、１．０ｍｍ以下である、請求項３９に記載のゴルフクラブヘッド。
【請求項４１】
Ｄ３≧２９．８ｍｍ−（０．３ｍｍ／°）×Ｌである、請求項３７に記載のゴルフクラブヘッド。
【請求項４２】
上側端部および仮想ホーゼル軸を有するホーゼルと、
該ホーゼル上側端部から地面まで該仮想ホーゼル軸に沿って測定して、７５ｍｍ以下である距離Ｄ４と
をさらに備える、請求項３７に記載のゴルフクラブヘッド。
【請求項４３】
該打撃フェースが、さらに、表面ミル加工されたテクスチャパターンを含む、請求項３７に記載のゴルフクラブヘッド。
【請求項４４】
５．７０ｍｍ以下の最大トップライン厚さＤ５をさらに備える、請求項３７に記載のゴルフクラブヘッド。
【発明の詳細な説明】
【背景技術】
【０００１】
ゴルフクラブの性能は、打ったゴルフボールにエネルギーを効率的に伝達するゴルフクラブの能力、ボールに望ましいスピン特性を付与する能力、特定のインパクトの様式に応答してゴルファーにフィードバックを生じさせる、たとえば「感触」を付与する能力、およびゴルファーが幅広いショットタイプを行使できるようにする能力を含む、数多くの要素が混じったものである。これに加えて、効果的な成果を構成するものは、各クラブの役割によって異なる。しばしば見過ごされる性能の側面であるが、より高ロフトのクラブで重要性が増すと考えられるのは、ショットのばらつき、すなわち（特定のクラブによってインパクトが与えられた）ゴルフショットのセットがターゲット場所から所望の距離内に収まる度合いである。ゴルファーがグリーンに近づくにつれて、正確性の重要度が高まり、それにつれてキャリー距離の重要性は弱まる。
【０００２】
この原理は、ウェッジタイプのゴルフクラブヘッドの場合に特に当てはまる。しかしながら、ウェッジタイプのゴルフクラブヘッドを設計する試みは、一般に、ばらつきを減少させるためにとられるステップがしばしば、ウェッジタイプのゴルフクラブヘッドに期待されるまたは望まれる他の特質に悪影響を及ぼすため、不十分なものとなっている。たとえば、ゴルファーの自信を喚起し、１つ以上の専門のゴルフ規制機関（たとえば米国ゴルフ協会（ＵＳＧＡ））によって公布された規則に従うために必要な従来の感触および設計特質は、犠牲にされ得る。また、ばらつきを減少させる試みの結果、しばしば、スピン、軌道形状、有効な跳ね返り、および／またはウェッジタイプのクラブヘッドに典型的に関連する全範囲のショットタイプを首尾良く実行する能力に悪影響を与える場所にクラブヘッドの質量が再配置される。
【発明の概要】
【発明が解決しようとする課題】
【０００３】
高ロフトのクラブヘッド（たとえば、ウェッジタイプのクラブヘッド）におけるショットのばらつきを低減する一方で、そのようなクラブヘッドに典型的に期待されるおよび／または望まれる他の性能特質を維持する必要性が存在する。
【課題を解決するための手段】
【０００４】
本発明の一例によるゴルフクラブヘッドは、地面に対して基準位置に配向されたとき、フェースセンター、リーディングエッジ、および打撃フェースとほぼ平行な仮想打撃フェース面を有する打撃フェースを含むことができる。ゴルフクラブヘッドは、ソール部分と、トップ部分と、後部分と、４０°以上のロフトＬとをさらに含む。打撃フェース面に対して垂直な仮想垂直面は、フェースセンターを通過する。クラブヘッド重心は、６．０ｍｍ以下の距離Ｄ１だけヒール−トゥ方向に仮想垂直面から離間される。ゴルフクラブヘッドは、仮想ホーゼル軸と、ゴルフシャフトを受けるように構成された内部ボアとを含むホーゼルをさらに含む。内部ボアは、周辺側壁と、ゴルフクラブシャフトの先端に当接するように構成されたシャフト当接面とを含む。ホーゼルは、さらに、内部ボアの当接面からソール方向に延びる補助凹部を含む。
【０００５】
本発明の別の例では、ゴルフクラブヘッドは、基準位置に配向されたとき、ソール部分、トップ部分、ヒール部分、トゥ部分を含むゴルフクラブヘッドを含むことができる。クラブヘッドは、フェースセンター、リーディングエッジ、打撃フェースに対してほぼ平行な仮想打撃フェース面、およびヒールに最も近い部分およびトゥに最も近い部分を有する複数のスコアラインを有する打撃フェースをさらに含む。クラブヘッドは、ゴルフシャフトを受け入れるように構成された内部ボアを有するホーゼル部分と、打撃フェース面に対して垂直であり、複数のスコアラインのヒールに最も近い部分を通過する第１の仮想垂直面と、第１の仮想垂直面のヒール方向に位置するクラブヘッドの全体部分として画定されたヒールに最も近い領域と、その大部分がヒールに最も近い部分に位置するようにボリュームを区切る凹状領域とを含む。クラブヘッドのロフトＬは４０°以上である。打撃フェース面に対して垂直な第２の仮想垂直面は、フェースセンターを通過する。クラブヘッドの重心は、６．０ｍｍ以下の距離Ｄ１だけヒール−トゥ方向に第２の仮想垂直面から離間される。
【０００６】
本発明の別の例では、ゴルフクラブヘッドは、仮想地面に対して基準位置に配向されたとき、フェースセンター、リーディングエッジ、および打撃フェースに対してほぼ平行な仮想打撃フェース面を有する、打撃フェースを含むゴルフクラブヘッドを含むことができる。クラブヘッドはさらに、ソール部分と、トップ部分と、後部分と、４０°以上のロフトＬとを含む。打撃フェース面に対して垂直な仮想垂直面は、フェースセンターを通過する。点Ｐ１が、リーディングエッジと仮想垂直面との交点に位置する。重心は、５．５ｍｍ以下の距離Ｄ１だけヒール−トゥ方向に仮想垂直面から離間され、Ｄ２≦３．５８ｍｍ−（０．０５３ｍｍ／°）×Ｌとなるような、最小距離Ｄ２だけ打撃フェース面から離間され、Ｄ３≧２９．５ｍｍ−（０．３ｍｍ／°）×Ｌとなるとなるような、距離Ｄ３だけ点Ｐ１から垂直方向に離間される。
【０００７】
本発明の別の例では、ゴルフクラブヘッドは、仮想地面に対して基準位置に配向されたとき、フェースセンター、リーディングエッジ、および打撃フェースに対してほぼ平行な仮想打撃フェース面を有する、打撃フェースを含むゴルフクラブヘッドを含むことができる。クラブヘッドはさらに、ソール部分と、トップ部分と、後部分と、４０°以上のロフトＬとを含む。打撃フェース面に対して垂直な仮想垂直面は、フェースセンターを通過する。点Ｐ１が、リーディングエッジと仮想垂直面との交点に位置する。重心は、５．０ｍｍ以下の距離Ｄ１だけヒール−トゥ方向に仮想垂直面から離間され、０．５０ｍｍ以下の最小距離Ｄ２だけ打撃フェース面から離間され、Ｄ３≧２９．５ｍｍ−（０．３ｍｍ／°）×Ｌとなるとなるような、距離Ｄ３だけ点Ｐ１から垂直に離間される。
【０００８】
上述したさまざまな例示的な態様は、個々にまたはさまざまな組み合わせで実施することができる。
【０００９】
本発明のさまざまな態様による、さまざまな例の１つ以上によって実証される、ゴルフクラブヘッドのこれらおよび他の特徴および利点は、次の説明、添付の図および付属の特許請求の範囲を考慮して明らかになるであろう。
【図面の簡単な説明】
【００１０】
以下に説明する図は、説明目的のみのためのものであり、決して本発明の範囲を限定することを意図するものではない。次に、例示的な実施を添付の図面を参照して説明する。
【００１１】
【図１】１つまたは複数の実施形態による例示的なゴルフクラブヘッドの正面図である。
【００１２】
【図２】図１の例示的なゴルフクラブヘッドの後面図である。
【００１３】
【図３】図１の例示的なゴルフクラブヘッドの上面図である。
【００１４】
【図４】図１の例示的なゴルフクラブヘッドの底面図である。
【００１５】
【図５】仮想ホーゼル軸が紙面に平行に延びるようにクラブヘッドが配向された状態の、図１の例示的なゴルフクラブヘッドのトゥ側斜視図である。
【００１６】
【図６】図１の例示的なゴルフクラブヘッドの後部斜視図である。
【００１７】
【図７】図１の例示的なゴルフクラブヘッドのトゥ側立面図である。
【００１８】
【図８】代替の後部分の構造を有する図１の例示的なゴルフクラブヘッドの後部斜視図である。
【００１９】
【図９】図８の例示的なゴルフクラブヘッドの後部ヒール斜視図である。
【００２０】
【図１０Ａ】１つまたは複数の実施形態による例示的なゴルフクラブヘッドの後部斜視図である。
【００２１】
【図１０Ｂ】１つまたは複数の実施形態による例示的なゴルフクラブヘッドの後部斜視図である。
【００２２】
【図１０Ｃ】１つまたは複数の実施形態による例示的なゴルフクラブヘッドの後部斜視図である。
【００２３】
【図１０Ｄ】１つまたは複数の実施形態による例示的なゴルフクラブヘッドの後部斜視図である。
【００２４】
【図１０Ｅ】１つまたは複数の実施形態による例示的なゴルフクラブヘッドの後部斜視図である。
【００２５】
【図１０Ｆ】１つまたは複数の実施形態による例示的なゴルフクラブヘッドの後部斜視図である。
【００２６】
【図１１Ａ】１つまたは複数の実施形態による例示的なゴルフクラブヘッドの後部斜視図である。
【００２７】
【図１１Ｂ】１つまたは複数の実施形態による例示的なゴルフクラブヘッドの後部斜視図である。
【００２８】
【図１１Ｃ】１つまたは複数の実施形態による例示的なゴルフクラブヘッドの後部斜視図である。
【００２９】
【図１１Ｄ】１つまたは複数の実施形態による例示的なゴルフクラブヘッドの後部斜視図である。
【００３０】
【図１２】１つまたは複数の実施形態による例示的なゴルフクラブヘッドのトゥ側斜視図である。
【００３１】
【図１３Ａ】１つまたは複数の実施形態による例示的なゴルフクラブヘッドの後部斜視図である。
【００３２】
【図１３Ｂ】図１３Ａのゴルフクラブヘッドの断面１３Ｂを通る断面図である。
【００３３】
【図１４Ａ】１つまたは複数の実施形態による例示的なゴルフクラブヘッドの底面図である。
【００３４】
【図１４Ｂ】図１４Ａのゴルフクラブヘッドの断面１４Ｂを通る断面図である。
【００３５】
【図１４Ｃ】図１４Ａのゴルフクラブヘッドの断面１４Ｃを通る断面図である。
【００３６】
【図１５Ａ】１つまたは複数の実施形態による例示的なゴルフクラブヘッドの後部斜視図である。
【００３７】
【図１５Ｂ】１つまたは複数の実施形態による例示的なゴルフクラブヘッドの後部斜視図である。
【００３８】
【図１６Ａ】１つまたは複数の実施形態による例示的なゴルフクラブヘッドの後部斜視図である。
【００３９】
【図１６Ｂ】１つまたは複数の実施形態による例示的なゴルフクラブヘッドの後部斜視図である。
【００４０】
【図１７Ａ】１つまたは複数の実施形態による例示的なゴルフクラブヘッドの後部斜視図である。
【００４１】
【図１７Ｂ】１つまたは複数の実施形態による例示的なゴルフクラブヘッドの後部斜視図である。
【００４２】
【図１７Ｃ】１つまたは複数の実施形態による例示的なゴルフクラブヘッドの後部斜視図である。
【００４３】
【図１７Ｄ】１つまたは複数の実施形態による例示的なゴルフクラブヘッドの後部斜視図である。
【００４４】
【図１８】１つまたは複数の実施形態による例示的なゴルフクラブヘッドの後部斜視図である。
【００４５】
説明のために、これらの図は、必ずしも縮尺通りに描かれていない。すべての図において、同じまたは類似の要素は同じ参照番号によって示されている。
【発明を実施するための形態】
【００４６】
本開示によるゴルフクラブヘッドの１つまたは複数の新規かつ非自明な態様および特徴の代表的な例は、決して限定することを意図するものではない。さらに、本開示のさまざまな態様および特徴は、単独で使用することもできるし、多様な新規かつ自明でない組み合わせおよび副組み合わせで一緒に使用することもできる。
【００４７】
図１〜図７を参照すると、ゴルフクラブヘッド１００が示されている。ゴルフクラブヘッドは、トップ部分１０２と、トップ部分１０２の反対側の底部分（またはソール部分）１０４と、ヒール部分１０８と、ヒール部分１０８の反対側のトゥ部分１０６とを含む。ゴルフクラブヘッドはさらに、中心長手ホーゼル軸１１２を画定するホーゼル１１０を含む。クラブヘッドは、打撃フェース１１６と、打撃フェースの反対側の後部分（リア部分、図２を参照）とをさらに含む。打撃フェースは、クラブヘッドが使用されるときにゴルフボールと衝突するように構成されている。
【００４８】
打撃フェースは、ほぼ平坦な表面を含む。たとえば、打撃フェースは、通常、ゴルフボールを打撃するのに適した平坦なヒッティングフェースと同じであるが、その中にヒール−トゥ方向に延びる複数のスコアラインが形成されることが好ましい場合があるので、多少逸脱してもよい。いくつかの実施形態では、打撃フェースは、ウッドタイプまたはハイブリッドタイプのクラブヘッドに慣習的な一定または可変の半径（たとえば、約９インチ以上の半径）のバルジおよび／またはロールを有することもできる。いくつかの実施形態では、打撃フェースは、その中に形成された、１つまたは複数のテクスチャパターンを有することができる。たとえば、打撃フェースは、（後述するような）表面ミル加工された領域、メディアブラストされた領域、化学エッチング領域、レーザミル加工された領域を含むことができる。このような領域は、別々の相互に排他的な領域で、または少なくとも部分的に（または完全に）重複して、打撃フェース内に組み合わせて形成され得る。好ましくは、テクスチャ加工された打撃フェース領域は、複数のスコアラインの大部分（より好ましくは全体）を含む中央領域内に少なくとも位置する。そのような場合、打撃フェースとゴルフボールとの間の相互作用は、（たとえば、摩擦を増加させることによって）高められ、それによってスピンをより良好に制御および／または増大させることができる。いくつかの実施形態では、メディアブラストおよび／または表面ミル加工されたテクスチャを有する中央領域に加えて、そのような中央領域の周辺のヒールおよびトゥ領域は、高い研磨表面テクスチャを有する。
【００４９】
打撃フェース１１６は、フェースセンター１３０をさらに含む。フェースセンター１３０は、本明細書のすべての目的のために、（ａ）複数のスコアライン１１８のヒールに最も近い部分１２４とトゥに最も近い部分１２６の間、および（ｂ）複数のスコアライン１１８の最上部分１３４および最底部分１３６の間のいずれにおいても等距離にある、打撃フェース上の場所を示す。打撃フェース１１６は、仮想打撃フェース面（たとえば、図７を参照）１３８に対応する。打撃フェース１１６がバルジおよび／またはロールを含む場合、仮想打撃フェース面１３８は、フェースセンター１３０において打撃フェース１１６に接する仮想平面であると考えられる。打撃フェース面１３８に垂直で、フェースセンター１３０を通過する仮想垂直面１２８も示されている。
【００５０】
複数のスコアライン１１８は、さらに、ヒールに最も近い部分１２４からトゥに最も近い部分までを測定して、好ましくは４９ｍｍから５５ｍｍ、より好ましくは５０ｍｍから５２ｍｍの全体横幅Ｄ６を有する。
【００５１】
打撃フェース１１６はさらに、リーディングエッジ１４４を含み、リーディングエッジ１４４は、打撃フェース１１６を通って切り取られた増分的な前から後の垂直方向の側面の集合に対応する、打撃フェース上の最も前方の点の集合に対応する。たとえば、図７に特に示すように、リーディングエッジ１４４は点Ｐ１で垂直面１２８と交差する。
【００５２】
クラブヘッド１００はさらに、最もトゥ側の部分Ｐ２を含む。図３に特に示すように、距離Ｄ７は、フェースセンター１３０から最もトゥ側の端点Ｐ２まで横方向に測定される。好ましくは、Ｄ７は４０ｍｍ以上、より好ましくは４２ｍｍから５０ｍｍの間、さらにより好ましくは４４ｍｍから４６ｍｍの間である。これらの特質は、全範囲のウェッジタイプのゴルフショットを提供すると共に、ゴルファーの自信を喚起しパフォーマンスを改善するのに十分な大きさのインパクト面を示すものになり得る。
【００５３】
図１に示すように、クラブヘッド１００は基準位置にある。本明細書で使用する「基準位置」は、仮想地面（たとえば仮想地面１１４）に対するクラブヘッド（たとえば、ゴルフクラブヘッド１００）の配向を指し、この配向では、ゴルフクラブヘッド１００のソール部分１０４は、仮想地面１１４と接し、ホーゼル１１０のホーゼル軸１１２は、仮想打撃フェース面１３８と交差して仮想水平線１４０を形成する仮想垂直ホーゼル面１２２内に存在する。別段の指定がない限り、本明細書に説明する実施形態のすべての特質は、基準位置に配向されたクラブヘッドに関するものと仮定する。クラブヘッド１００は、打撃フェース１１６の反対側の後部分１４２（図２を参照）をさらに含む。
【００５４】
ゴルフクラブヘッド１００は、好ましくは、アイアンタイプのクラブヘッド、より好ましくは、ウェッジタイプのクラブヘッドを含む。さらに、クラブヘッド１００は、好ましくは、「ブレード」タイプのクラブヘッドである。そのような実施形態では、クラブヘッド１００は、上側ブレード部分１４８および下側マッスル部分１５０を備える。上側ブレード部分は、好ましくは実質的に均一な厚さのものである。好ましくは、「ブレード」タイプのクラブヘッドのようなクラブヘッドは、いかなる周囲重み付け特徴も有さない。しかしながら、いくつかの実施形態では、クラブヘッドは、周囲重み付け特徴を具現することができるが、そのような周囲重み付け要素は、好ましくは、約１０ｍｍ以下、より好ましくは約５ｍｍ以下である最大深さを有する。「ブレード」タイプのクラブヘッドは、よりばらついた感触を与え、その結果インパクト時にゴルファーに高い触感のフィードバックをもたらす。周囲重み付けを最小にすることによって、クラブヘッドの作用性が向上し、潜在的なショットのタイプおよびその結果として生じる軌道の幅が広げられる。これらの特徴は、具体的には高ロフトのクラブヘッド（たとえば、３０°を超えるロフトを有するクラブヘッド）の場合、より具体的にはウェッジタイプのクラブヘッドの場合に求められる。
【００５５】
これらの利点および他の利点を達成しようとして、また、一つには「ブレード」タイプのクラブヘッドを構成する結果として、クラブヘッド１００の重心１３２は、打撃フェース面に比較的近接して位置することが好ましい（図７）。好ましくは、重心１３２は、２．０ｍｍ以下、より好ましくは１．０ｍｍ以下、さらにより好ましくは０．５ｍｍ以下の距離Ｄ２だけ打撃フェース面１３８から離間される。このような重心位置を有するクラブヘッドを提供することは、高い触覚のフィードバック、プレイ性、堅い感触を促進することができる。これらの特質は、上述のように、ウェッジタイプのクラブヘッドにおいて特に有利である。したがって、好ましくは、クラブヘッド１００は、４０°以上、より好ましくは４０°から６７°の間のロフトＬを含む。
【００５６】
追加的に、または代替的に、重心１３２は、打撃フェース面１３８のソール方向に配置される。しかし、代替の実施形態では、重心１３２は、打撃フェース面１３８の上方に位置する。
【００５７】
追加的に、または代替的に、重心の相対位置はロフト依存のものである。したがって、アイアンタイプまたはウェッジタイプのゴルフクラブヘッドのセットでは、重心位置は、ロフト角によってクラブヘッドごとに変わる。好ましくは、クラブヘッド１００は、距離Ｄ２が以下の式にしたがってクラブヘッドのロフト角に関連付けられるように、構成される。
Ｄ２≦３．５８ｍｍ−（０．０５３ｍｍ／°）×Ｌ
そのような特質は、クラブヘッドのロフト角に関連し得るクラブヘッドの設計特性の自然なバリエーションを考慮しながら、ブレードタイプ構造に関連する利点を確実に達成し、こうして高性能のクラブヘッドをより正確に提供する。
【００５８】
クラブヘッドは重心１３２をさらに含む。本発明者は、重心位置が特定のクラブヘッドに対しショットのばらつきを低減するのに重要な役割を果たすことを認識している。好ましくは、一つにはショットのばらつきを最小にするために、重心は打撃フェースの中央に位置する。好ましくは、重心１３２は、６．０ｍｍ以下、より好ましくは５．５ｍｍ以下、さらにより好ましくは５．０ｍｍ以下のヒール−トゥ距離Ｄ１だけフェースセンター１３０から離間される。最も好ましくは、重心１３２は、ヒール−トゥ方向にフェースセンター１３０と位置合わせされる（すなわち、フェースセンターを通過し、打撃フェース面に対して垂直な垂直面と同一平面上にある）。しかし、完全な位置合わせは、少なくとも通常は製造公差が存在するために達成することが困難である。
【００５９】
以下の表１に示すように、短いばらつきは、重心が打撃フェース１１６のフェースセンター１３０から横方向に十分に離れているが、同じロフトの同様の構造のウェッジと比較して、実質的に減少する。
【表１】
2018057834.tif 000003
【００６０】
加えて、または代替的に、重心１３２は、上述したような間隔（Ｄ１）の程度ではあるが、フェースセンター１３０のヒール方向にあることが好ましい。随意選択ではあるが、ホーゼル１１０の存在を前提としたとき、クラブヘッドの質量分布が自然にヒール方向に偏向することを考慮すると、重心１３２をフェースセンター１３０のトゥ方向に配置すれば、自由裁量の質量のかなりの程度の再配置が必要となる可能性が高い。可能ではあるが、そのような程度の質量シフトは、ウェッジタイプのクラブヘッドで期待されるまたは望まれる性能と相関する他の重要な特質に有害な影響を及ぼし得る。たとえば、クラブヘッドの構造的完全性に影響を及ぼし得る。
【００６１】
また、特にブレードタイプのクラブヘッド、たとえばクラブヘッド１００の場合、質量はマッスル部分１５０に集中する。質量は、独立して調整可能なクラブヘッドの特質ではない（すなわち、実際の材料の位置に対応する）ので、横方向の重心シフトは、当然、ソール部分の設計に不相応に影響を及ぼし得る。この当然の設計傾向は、場合によっては有害であると考えられ得る。たとえば、マッスル部分１５０に加えられた質量は、クラブヘッド１００の実効的な跳ね返り（すなわち、クラブヘッド１００が芝生と相互作用する態様）、所望の動的ロフト、およびスピン生成特質に影響を及ぼし得る。したがって、好ましくは、重心は、上述のように横方向に、しかし他の主要なクラブヘッドの特質に悪影響を及ぼさないようにして配置される。このトレードオフ固有の問題は、ウェッジタイプのクラブヘッドがコンパクトな形状である必要があり、それによって質量特性の操作の目的のためだけに配置または再配置され得る自由裁量の重量をほとんど与えないという事実によって悪化し得る。
【００６２】
上述の設計態様の１つの態様では、いくつかの実施形態において、重心高さは、望ましくは、上述の横方向の重心位置特質の条件の下で維持される。たとえば、図７に示すように、クラブヘッド１００の重心１３２は、距離Ｄ３だけ点Ｐ１から垂直に離間される。好ましくは、Ｄ３は１７ｍｍ以下、より好ましくは１７ｍｍから１０ｍｍの間である。しかしながら、この距離Ｄ３は、クラブヘッドロフトに影響され、したがってより正確にはロフトの関数として表される。したがって、加えてまたは代替的には、Ｄ３は、以下の式にしたがって、クラブヘッド１００のロフトＬに対応する。
Ｄ３≧２９．５ｍｍ−（０．３ｍｍ／°）×Ｌ
より好ましくは、Ｄ３は、以下の式にしたがってクラブヘッド１００のロフトＬに対応する。
Ｄ３≧２９．８ｍｍ−（０．３ｍｍ／°）×Ｌ
【００６３】
Ｐ１（すなわちリーディングエッジの位置）に対する重心高さを測定することは、ソール輪郭特徴、たとえば、さまざまな実効的な跳ね返りオプションに関連するものが考慮から除外されるという点で有利になり得る。このようにして、重心高さ測定と性能への実際の影響との間により純粋な関係が表れる。
【００６４】
上記の設計態様の別の態様では、いくつかの実施形態において、底（ソール）部分１０４の形状は、望ましくは、上述の横方向の重心位置特質の条件の下で維持される。望ましいソール形状を維持する例示的な指標として、クラブヘッド１００はソール幅Ｄ８を含む（図７を参照）。本明細書のすべての目的において、「ソール幅」とは、前後方向に、打撃フェース面１３８に対して垂直に測定される、打撃フェース面１３８とクラブヘッド１００の最も後方の部分との間の距離を示す。好ましくは、Ｄ８は２０ｍｍ以下、より好ましくは１４ｍｍから２０ｍｍの間、さらにより好ましくは１６ｍｍから１８ｍｍの間である。
【００６５】
上記の設計態様のさらに別の態様では、いくつかの実施形態では、ゴルフクラブヘッド１００は、望ましい上側ブレード部分の最大厚さＤ５を維持する（図７を参照）。本明細書のすべての目的のために、距離Ｄ５は、前後方向に、打撃フェース面１３８に対して垂直に測定される上側ブレード部分の最大厚さを指す。好ましくは、距離Ｄ７は７ｍｍ以下、より好ましくは６ｍｍ以下、さらにより好ましくは５．７０ｍｍ以下、最も好ましくは４．７５ｍｍから５．７５ｍｍの間である。
【００６６】
クラブヘッドは、好ましくは、２５０ｇから３５０ｇの間、より好ましくは２７０ｇから３１０ｇの間、さらにより好ましくは２８５ｇから３００ｇの間のヘッド質量を有する。追加的に、または代替的に、クラブヘッド１００は、重心１３２を通過する仮想垂直軸周りで測定される慣性モーメント（Ｉｚｚ）を含む。慣性モーメントＩｚｚは、好ましくは２５００ｋｇ・ｃｍ2以上、より好ましくは２６５０ｋｇ・ｃｍ2と３１００ｋｇ・ｃｍ2の間である。
【００６７】
上述したように、いくつかの実施形態では、他の主要なウェッジタイプのクラブ特質に悪影響を及ぼさないように、フェースセンター１３０に横方向に近接して重心１３２を配置することが望ましい。したがって、いくつかの実施形態では、質量は、全体的にヒール方向位置から除去され、クラブヘッドの他の部分に再配置されるか、またはクラブヘッドの残りの領域について均一に分散される。
【００６８】
いくつかの実施形態では、ゴルフクラブヘッド１００は、仮想のヒールに最も近い領域１５２を含み、この領域１５２は、打撃フェース面１３８に対して垂直であり、複数のスコアライン１１８の最もヒール側の部分１２６を含む仮想垂直面１５４のヒール方向に位置する、クラブヘッド１００の全体を指す。好ましくは、凹状領域１５６は、最もヒール側の領域１５２内に少なくとも部分的に位置する。より好ましくは、（移動されたボリュームによって測定される）凹状領域１５６の少なくとも大部分が、最もヒール側の領域１５２内に位置する。最も好ましくは、凹状領域１５６の全体が、クラブヘッド１００の最もヒール側の領域１５２内に位置する。
【００６９】
特に図５に示すように、クラブヘッド１００のホーゼル１１０は、内部ボア１５８を含む。内部ボア１５８は、従来のゴルフクラブシャフトを受け入れてクラブヘッド１００に固定し、それによりゴルフクラブを形成するのに好適に寸法設定される。内部ボア１５８は、具体的には、周辺側壁１６０と、従来のゴルフシャフトの先端に当接して支持するように構成された面である底面とを含む。いくつかの実施形態では、当接面は、周辺レッジの形態をとる。
【００７０】
内部ボア１５８は、好ましくは、内部ボア１５８の上側端部の近位における約１０．５ｍｍの最大直径から約８．５ｍｍの最小直径までの範囲の直径を含む。いくつかの実施形態では、内部ボア１５８の直径は、ソール方向に徐々に減少する。追加的に、または代替的に、少なくとも１つの段付き領域が、たとえばクラブヘッド１００がシャフトアセンブリに固定されるときに、エポキシおよび／またはフェルール成分を収容するために内部ボアの側壁１６０に配置される。
【００７１】
当接面１６２（または図５に示す特定の実施形態における周辺レッジ１６２）は、好ましくは、仮想ホーゼル軸に対して径方向に測定して、１．０ｍｍ以上、より好ましくは１．０ｍｍから３．０ｍｍの間の幅を有する。このような特質は、使用中に軸−ホーゼル接合部に加えられる典型的な負荷を考慮して、十分な表面積およびシャフトに与えられる十分な反力を確実にする。
【００７２】
凹状領域１５６（図５の特定の実施形態では、補助凹部１５６）は、ホーゼル１１０の内部ボア１５８の当接面１６２からソール方向に延び、それによって「ブラインドキャビティ」を形成する。好ましくは、補助凹部１５６は、ホーゼル軸１１２に沿って測定して、４ｍｍ以上、より好ましくは６ｍｍ以上、最も好ましくは６ｍｍから１０ｍｍの間の深さＤ１０を有する。加えて、補助凹部１５６は、好ましくは、４ｍｍから１０ｍｍの間、より好ましくは５ｍｍから８ｍｍの幅Ｄ１１（図５の特定の実施形態では、最大直径Ｄ１１）を含む。補助凹部１５６は、側壁１６４をさらに含み、側壁１６４は、補助凹部１５６の幅Ｄ１０（または場合によっては直径Ｄ１０）がソール方向にテーパになるように傾斜していることが好ましい。これは、たとえば、インベストメント鋳造プロセスにおいて補助凹部１５６を形成する（そしてその後取り除かれる）セラミックピンの挿入を可能にすることによって製造を容易にする。
【００７３】
鋳造形成の代替として、いくつかの実施形態では、補助凹部は、（たとえば、インベストメント鋳造による）クラブヘッド本体の形成の後にクラブヘッド１００に機械加工される。そのような実施形態では、好ましくは、補助凹部１５６は、仮想ホーゼル軸１１２の周りで回転し、それに沿って貫通するように構成された、テーパにされたビットを適用することによってミル加工される。
【００７４】
追加的に、または代替的には、打撃フェース１１６のフェースセンター１３０と重心１３２との間の横方向の間隔を減少させる別の手段として、好ましくはホーゼルの長さが低減される。詳細には、仮想ホーゼル軸１１２に沿って測定して、ホーゼル１１０の最上範囲から地面１１４までの距離Ｄ４は、好ましくは７５ｍｍ以下、より好ましくは７０ｍｍから７５ｍｍの間である。ホーゼルの長さを短くすることにより、自由裁量の質量をフェースセンター１３０の遠位のポイントから除去し、クラブヘッド１００全体にわたって再分配することができ、それによって、パフォーマンスへの有害な悪影響を最小限に抑えながら、クラブヘッド１００の重心１３２をフェースセンター１３０により近づけて再配置する。
【００７５】
いくつかの実施形態では、補助凹部は少なくとも部分的に充填される。いくつかのこのような実施形態では、補助凹部は、充填材料でその全体が充填される。このようなことは、ゴルフボールによるインパクトから生じる振動を減衰させるために利点となり得る。このような実施形態では、充填材料は、好ましくは、クラブヘッドの本体の密度より小さい密度を有する材料である。代替的に、または追加的に、補助凹部の充填材の密度は、７ｇ／ｃｍ3以下、より好ましくは４ｇ／ｃｍ3以下である。追加的に、または代替的に、充填材は、本体の硬度よりも低い硬度を有し、随意選択により、ポリマー材料、天然または合成ゴム、ポリウレタン、熱可塑性ポリウレタン（ＴＰＵ）、開放または閉鎖セル発泡体、ゲル、金属発泡体、粘弾性材料、または樹脂などの弾性材料を含む。
【００７６】
上述した質量に関連する特質に関連して、さらなる特質が、ショットのばらつきをさらに低減すると考えられる。たとえば、いくつかの実施形態では、打撃フェースクラブヘッド１００は、好ましくは、少なくとも中央領域内、すなわち複数のスコアライン１１８の最ヒール側の部分１２６および最もトゥ側の部分１２４によって区切られた領域内に位置するテクスチャパターンを含む。好ましくは、テクスチャパターンは、表面ミル加工されたパターン、たとえば、参照によりその全体が本明細書に援用される、米国特許出願第１５／２１９，８５０号明細書（リップ（Ｒｉｐｐ）ら）に記載されている、表面ミル加工されたパターンのいずれかを含む。特に、表面ミル加工されたパターンは、複数のスコアライン１１８上に重ね合わされた複数の微細な弧状の溝を含むことが好ましい。いくつかの実施形態では、表面ミル加工されたパターンは、随意選択により、一定または可変の送り速度で、一定または可変のスピン速度で、および一定または可変の切削深さで、単一パスで形成された単一の複数のほぼ平行な弧状溝を含む。しかし、他の実施形態では、表面ミル加工されたパターンは、随意選択により単一の第１パスで形成されたほぼ平行な弧状溝の第１のセットと、第１のパスで形成された複数の弧状溝に重ね合わされるように単一の第２パスで随意選択により形成された、ほぼ平行な弧状溝の第２のセットとを含む。好ましくは、第１または第２の複数の弧状溝の１つは、上に凹の経路を画定する一方、第２または第１の複数の弧状溝はそれぞれ、上に凸の経路を画定する。いずれの場合でも、打撃フェース１１８は、特に中央領域内において、好ましくは、約１２０μｉｎから１８０μｉｎの間、より好ましくは１４０μｉｎから１８０μｉｎの間の表面粗さＲａを含み、そのような表面粗さは、標準ＡＳＭＥ条件で測定される。
【００７７】
追加的に、または代替的に、複数のスコアライン１１８は、鋳造ではなく、機械加工、たとえばミル加工によって形成され、それによって機械加工されたスコアラインに関連する構造的特徴、たとえばより精密で、全般的に反りのない表面部分、およびスコアライン１１８と打撃フェース１１６との間に形成されるより急なコーナーを有する。
【００７８】
本開示の１つまたは複数の態様において、ゴルフクラブヘッド１００が、図８および図９に示されている。別段の記載がない限り、このゴルフクラブヘッド１００は、図１〜図８のゴルフクラブヘッド１００と同様であり、質量関連の特質および構造的な特質を含むそのすべての特質を具現する。このゴルフクラブヘッド１００は、これが異なる輪郭の後部分１４２を具現する点において異なる。
【００７９】
特に、このクラブヘッド１００は、ブレード部分１４８およびマッスル部分１５０を有する後部分１４２を含む。後部分１４２はさらに、中央に位置し、隆起したヒール領域１７０とトゥ領域１７２との間に挟まれた凹状領域を含む。ヒール領域１７０およびトゥ領域１７２の各々は、中央に位置する凹状領域１６８よりも大きい厚さを有することが好ましい。好ましくは、（ａ）ヒール領域１７０と凹状領域１６８の間、および（ｂ）トゥ領域１７２と凹状領域１６８の間の両方またはいずれかの厚さの相違は、２ｍｍ以上、より好ましくは２ｍｍから４ｍｍの間である。クラブヘッド１００の中心から周辺領域に更なる重量を再配置することにより、重心１３２を通過する仮想垂直軸まわりの慣性モーメントＩｚｚをある程度大きくすることができる。結果として、クラブヘッド１００は、中心を外したゴルフショットに対して、より高いハンディキャップを有するゴルファーにとって特に有利であるより大きな寛容をもたらすことができる。しかし、上述したように、特にウェッジタイプクラブヘッドの場合、クラブヘッドの寛容を高めることは、作用性、たとえばクラブヘッドが幅広いゴルフショットを効果的に実行する能力および／または幅広いショット軌道を達成する能力に有害な影響を与え得る。したがって、中央凹状部分とヒール領域および／またはトゥ領域との間の厚さ変動の範囲の上限は４ｍｍが好ましい。
【００８０】
図８のゴルフクラブヘッド１００は、ヒールトラス１７４およびトゥトラス１７６をさらに備える。ヒールトラス１７４およびトゥトラス１７６は、中央の凹状領域１６８を境界付けている。トラス１７６および１７８は、好ましくは、底部から上部方向に収束するように（垂直に対して）傾斜している。トラス１７４および１７６はまた、上部補強要素１７８と連通し、上部補強要素１７８はそれによって、トゥトラス１７６およびヒールトラス１７４を接合する。上部補強要素１７８はまた、クラブヘッド１００のトップラインの少なくとも一部分も形成し、これはクラブヘッド１００のトップ部分１０２の上側表面の一部分を形成する。リビール１８０および１８２は、好ましくは、それぞれトラス１７４および１７６の外側境界を形成する。エッジ１８４および１８６は、それぞれトラス１７４および１７６の内側境界、ならびに凹状領域１６８の境界を形成する。リビール１８０および１８２は、好ましくは溝を構成し、この溝は、好ましくは１ｍｍ以下の深さを有する。いくつかの実施形態では、リビール１８０および１８２は、たとえば塗料で、少なくとも部分的に充填されている。リビール１８０および１８２の存在は、クラブヘッド１００のゴルファー潜在特質に、たとえば、クラブヘッド１００が、増大した慣性モーメント、したがって、中心を外したショットに対して増大した寛容を有することを伝えるように働く。したがって、このような機能は、プレー中のクラブ選択を助け、および／または使用中のゴルファーの自信を高めることができる。
【００８１】
いくつかの実施形態では、図８のクラブヘッド１００を再度参照すると、中央凹状領域１６８は、サブ凹部１８８を含む。好ましくは、サブ凹部１８８は、ソール部分１０４に向かって延びている。しかし、代替の実施形態では、サブ凹部１８８は、トップ部分１０２、ヒール部分１０８、および／またはトゥ部分１０６に向かって延びるように配置されてもよい。さらに、好ましくは、弾性インサート１６６が、サブ凹部１８８内に配置される。いくつかの実施形態では、弾性インサート１６６は、サブ凹部１８８内に少なくとも部分的にのみ配置される。他の実施形態では、弾性インサート１６６は、サブ凹部１８８を完全に充填する。代替的または追加な実施形態では、図８および図９に示すように、弾性インサート１６６は、サブ凹部１８８の境界を越えて中央凹状領域１６８の主領域内へと延びる。
【００８２】
弾性インサートは、ポリマー材料、天然または合成ゴム、ポリウレタン、熱可塑性ポリウレタン（ＴＰＵ）、開放または閉鎖セル発泡体、ゲル、金属発泡体、または樹脂を含む。いくつかの実施形態では、弾性インサートは、振動減衰特性（たとえば、粘弾性特性）を有し、それによってたとえばゴルフボールによるインパクトに基づくクラブヘッドの振動放出特性を制御する。
【００８３】
上述したように、全体的に横方向の重心１３２は、一つにはショットのばらつきを低減するために望ましい。しかし、このような特質は、クラブヘッド、特にウェッジタイプのクラブヘッドの他の望ましい特徴に有害な影響を与えることなく達成されることが好ましい。図１〜図９のクラブヘッド１００は、ヒールに最も近い領域、より具体的にはホーゼル領域からの質量除去によってこれを達成する。このようにすれば、ソール輪郭、重心高さ、打撃フェースからの重心深さ、および他のさまざまな質量関連および空間関連の特質は、ほとんど損なわれないままである。それでもなお、他の代替的な実施形態は、たとえば、ウェッジタイプのクラブヘッドの所望の性能特質に有害な影響を与えることなく、質量特質に関する同様の結果を達成することができる。
【００８４】
図１０Ａ〜図１０Ｆを参照すると、本開示によるさまざまなクラブヘッドの実施形態が示されている。別段の記載がない限り、図１０Ａ〜１０Ｄのゴルフクラブヘッド２００は、図１〜図８のゴルフクラブヘッド１００と同様であり、質量関連の特質および構造的な特質を含むそれらのすべての特質を具現する。ゴルフクラブヘッド２００は、これが異なる輪郭の後部分１４２を具現する点において異なる。具体的には、それぞれの場合、クラブヘッド１００の打撃壁部分とホーゼル部分の間の接合部の近位にある後部分２４２から質量が除去される。
【００８５】
図１０Ａでは、ゴルフクラブヘッド２００は、上側ブレード部分２４８および下側マッスル部分２５０を有する後部分２４２を含む。特に、鋭利な接合部とは対照的に、ブレード部分２４８は、質量除去の結果として、ホーゼル部分へと弧状に移行する。特に、図１０Ａのクラブヘッドの実施形態では、ブレード部分２４８は、角度なしにホーゼル部分内へと滑らかに移行する。したがって、質量が除去され、それによって、クラブヘッド２００の重心２３２を、他の主要特質に悪影響を及ぼすことなく、中心に向かってシフトさせる。
【００８６】
図１０Ｂでは、ゴルフクラブヘッド２００は、上側ブレード部分２４８および下側マッスル部分２５０を有する後部分２４２を含む。特に、鋭利な接合部とは対照的に、ブレード部分２４８は、質量除去の結果として、ホーゼル部分へと弧状に移行する。特に、図１０Ｂのクラブヘッドの実施形態では、ブレード部分２４８は、ホーゼル部分２１０内へと弧状に移行する。この特定の実施形態では、ブレード部分２４８は、ホーゼル領域２１０に近づくにつれて幅が狭くなり、角のある頂点２８８を形成する。したがって、質量が除去され、それによって、クラブヘッド２００の重心２３２を、他の主要特質に悪影響を及ぼすことなく、中心に向かってシフトさせる。
【００８７】
図１０Ｃでは、ゴルフクラブヘッド２００は、上側ブレード部分２４８および下側マッスル部分２５０を有する後部分２４２を含む。特に、鋭利な接合部とは対照的に、ブレード部分２４８は、質量除去の結果として、ホーゼル部分へと弧状に移行する。特に、図１０Ｃのクラブヘッドの実施形態では、ブレード部分２４８は、ホーゼル部分２１０内へと弧状に移行する。この特定の実施形態では、ブレード部分２４８は、ホーゼル領域２１０に近づくにつれて幅が狭くなり、角のある頂点２８８を形成する。図１０Ｃのクラブヘッドの実施形態の角のある頂点２８８は、図１０Ｂの角のある頂点２８８よりも大きい角度のものである。したがって、質量が除去され、それによって、クラブヘッド２００の重心２３２を、他の主要特質に悪影響を及ぼすことなく、中心に向かってシフトさせる。
【００８８】
図１０Ｄでは、ゴルフクラブヘッド２００は、上側ブレード部分２４８および下側マッスル部分２５０を有する後部分２４２を含む。特に、鋭利な接合部とは対照的に、ブレード部分２４８は、質量除去の結果として、ホーゼル部分へと弧状に移行する。特に、図１０Ｄのクラブヘッドの実施形態では、ブレード部分２４８は、ほぼ平坦な中央領域２９０と、ほぼ平坦な中央領域２９０を少なくとも部分的に取り囲む斜めの周辺領域２９２とを備える。この実施形態では、斜め領域２９２は、ホーゼル部分２１０内へと弧状に移行する。ブレード部分２４８は、ホーゼル領域２１０に近づくにつれて幅が狭くなり、角のある頂点２８８を形成する。図１０Ｄのクラブヘッドの実施形態の角のある頂点２８８は、図１０Ｂの角のある頂点２８８よりも大きな角度のものである。したがって、質量が除去され、それによって、クラブヘッド２００の重心２３２を、他の主要特質に悪影響を及ぼすことなく、中心に向かってシフトさせる。
【００８９】
図１０Ｅでは、ゴルフクラブヘッド２００は、上側ブレード部分２４８および下側マッスル部分２５０を有する後部分２４２を含む。特に、鋭利な接合部とは対照的に、ブレード部分２４８は、質量除去の結果として、ホーゼル部分２１０へと弧状に移行する。ブレード部分２４８は、ホーゼル領域２１０に近づくにつれて幅が狭くなり、角のある頂点２８８を形成する。加えて、クラブヘッド２００は、好ましくは全体的にヒール−トゥ方向に延びるチャネル２９４を含む。より好ましくは、チャネル２９４は、上側ブレード部分２４８と下側マッスル部分２５０の間の接合部に位置する。チャネル２５０は、好ましくは１ｍｍ以上、より好ましくは１ｍｍから５ｍｍの間の深さを含む。いくつかの実施形態では、チャネル２９４は均一な厚さを含む。しかし、代替の実施形態では、チャネルの厚さは、たとえば、望ましくない場所から自由裁量の質量を選択的に除去するために変動する。したがって、質量が除去され、それによって、クラブヘッド２００の重心２３２を、他の主要特質に悪影響を及ぼすことなく、中心に向かってシフトさせる。
【００９０】
図１０Ｆでは、ゴルフクラブヘッド２００は、上側ブレード部分２４８および下側マッスル部分２５０を有する後部分２４２を含む。特に、鋭利な接合部とは対照的に、ブレード部分２４８は、質量除去の結果として、ホーゼル部分２１０へと弧状に移行する。ブレード部分２４８は、ホーゼル領域２１０に近づくにつれて幅が狭くなり、角のある頂点２８８を形成する。加えて、クラブヘッド２００は、好ましくは全体的にヒール−トゥ方向に延びるチャネル２９４を含む。より好ましくは、チャネル２９４は、上側ブレード部分２４８と下側マッスル部分２５０の間の接合部に位置する。チャネル２９４は、好ましくは、１ｍｍ以上、より好ましくは１ｍから５ｍｍの間の深さを含む。この特定の実施形態では、チャネル２９４は、曲げ部２９６を含み、これによりヒール方向に延びるにつれてソール部分２０４に向かって下方向に延びる。そのような曲げ部２９６を有することにより、さらに、任意の質量の除去可能性およびより望ましい位置へのそれらの再配置を制御することを可能にし得る。いくつかの実施形態では、チャネル２９４は均一な厚さを含む。しかし、代替の実施形態では、チャネル２９４の厚さは、たとえば、望ましくない場所から自由裁量の質量を選択的に除去するために変動する。したがって、質量が除去され、それによって、クラブヘッド２００の重心２３２を、他の主要特質に悪影響を及ぼすことなく、中心に向かってシフトさせる。
【００９１】
図１１Ａ〜図１１Ｄを参照すると、本開示によるさまざまなクラブヘッドの実施形態が示されている。別段の記載がない限り、図１０Ａ〜図１０Ｄの各々のゴルフクラブヘッド３００は、図１〜図８のゴルフクラブヘッド１００と同様であり、質量関連の特質および構造的な特質を含むそれらのすべての特質を具現する。ゴルフクラブヘッド３００は、これらが異なる輪郭の後部分３４２を具現する点において異なる。特に、各々の場合において、質量は、図１〜図８の実施形態に関して説明した質量関連特性を達成する目的で、ヒール方向位置からトゥ方向位置に再分配される。上述したように、これらの場合のそれぞれにおいて、全体の性能への悪影響を最小限に抑えるように、たとえば実効的な跳ね返りの考慮および／またはフェースセンターからの横方向に間隔を空けること以外の重心の位置ベースの局面を達成するように、質量の再配置が起こる。
【００９２】
図１１Ａでは、ゴルフクラブヘッド３００は、上側ブレード部分３４８および下側マッスル部分３５０を有する後部分３４２を含む。後部分１４２には、特に後面のマッスル部分３５０内には（その後面から内側に延びる）複数の円形凹部３０１（ａ）〜３０１（ｄ）が形成されている。円形凹部３０１（ａ）〜３０１（ｄ）は、好ましくは、その中にウェイト要素、たとえばウェイト要素３０３（ａ）〜３０３（ｂ）を受け取り、固定するのに適合したウェイトポートを構成する。好ましくは、凹部３０１（ａ）〜３０１（ｄ）はヒール−トゥ方向に整列される。いくつかの実施形態では、ウェイト要素３０３（ａ）〜３０３（ｂ）は、ウェイトポート３０１（ａ）〜３０１（ｄ）に取外し可能に結合可能である。しかし、他の実施形態では、１つまたは複数のウェイト要素は、たとえば接着剤によってウェイトポート３０１（ａ）〜３０１（ｄ）内に恒久的に固定される。ウェイト要素が取外し可能であるような実施形態では、好ましくは、ウェイト要素はまた、ゴルファーの特別なニーズまたは望みを満たすためにクラブヘッド３００の質量関連特質をカスタマイズするべく使用できるように、さまざまなウェイトポート３０１（ａ）〜３０１（ｄ）の間で交換可能である。たとえば、そのような実施形態では、ウェイト要素３０３（ａ）〜３０３（ｂ）は、ウェイトポート３０１（ａ）〜３０１（ｄ）の各々に対応する相補的ねじ領域と対合するのに適合した、ねじ切りされた外部シャフト（図示せず）を備えることができる。
【００９３】
好ましくは、ウェイトポート３０１（ａ）〜３０１（ｄ）およびウェイト要素３０３（ａ）〜３０３（ｂ）システムは、図１〜８に関して説明されたように、フェースセンターに向けて横方向にクラブヘッドの重心３３２をシフトする能力を提供するように構成される。いくつかの実施形態およびそのいくつかの構成では、いくつかのウェイト要素３０３（ａ）〜３０３（ｂ）がトゥ方向のウェイトポート３０１（ｃ）および３０１（ｄ）内に位置し、一方でヒール方向のウェイトポート３０１（ａ）および３０１（ｂ）がウェイト要素を有さない状態（その例示的な状態を示す）をもたらすことによってこの能力を満たすことができる。
【００９４】
代替的に、または追加的に、このような重量シフト能力は、空間特質および／または密度のいずれかによって、異なる重量値を有する１セットのウェイト要素を提供することによって満たすことができる。たとえば、ウェイトポート３０１（ａ）〜３０１（ｄ）およびウェイト要素システムは、１つまたは複数の高密度のウェイト要素がトゥ近位のウェイトポートに配置され、一方で低密度のウェイト要素がヒール近位のウェイトポートに置かれる状態をもたらすことができる。好ましくは、ウェイト要素３０３のセットの少なくとも１つのウェイト要素は、７ｇ／ｃｍ3以上、より好ましくは９ｇ／ｃｍ3以上の密度を有する。好ましくは、そのような実施形態では、タングステンの供給によって密度が高められる。詳細には、このようなウェイト要素は、タングステンを少なくとも２０重量％、より好ましくは少なくとも４０重量％の量で含む組成を有する。
【００９５】
追加的または代替的に、このようなセットでは、少なくとも１つの他のウェイト要素は、７ｇ／ｃｍ3以下、より好ましくは４ｇｈ／ｃｍ3以下の密度を有する。追加的に、または代替的に、ウェイト要素３０３のセットの少なくとも第１のウェイト要素は７ｇ以上のウェイトを含み、随意によりウェイト要素のセットの第２のウェイト要素は４ｇ以下の重さを含む。したがって、質量が除去され、それによって、クラブヘッド３００の重心３３２を、他の主要特質に悪影響を及ぼすことなく、中心に向かってシフトさせる。
【００９６】
図１１Ｂでは、ゴルフクラブヘッド３００は、上側ブレード部分３４８および下側マッスル部分３５０を有する後部分３４２を含む。特に、鋭利な接合部とは対照的に、ブレード部分３４８は、質量除去の結果として、ホーゼル部分３１０へと弧状に移行する。特に、図１１Ｂのクラブヘッドの実施形態では、ブレード部分２４８は、角度なしにホーゼル部分３１０内へと滑らかに移行する。したがって、質量が除去され、それによって、クラブヘッド２００の重心２３２を、他の主要特質に悪影響を及ぼすことなく、中心に向かってシフトさせる。さらに、マッスル部分はトゥ方向に向かって広がり、その結果トゥのフレア３０５を生じさせる。
【００９７】
図１１Ｃでは、ゴルフクラブヘッド３００が示されており、このゴルフクラブヘッド３００は、ブレード部分３４８、およびソール部分１０４に近位のマッスル部分３５０を有する、後部分３４２を含む。ソール部分１０４は、この特定の実施形態では、ヒール側キャビティ３０７およびトゥ側キャビティ３０９を含む。好ましくは、これらのキャビティ３０７および３０９は、通常芝生と相互作用することが意図されたソール部分３０４の底面の一部分の外側に横方向に位置する。たとえば、キャビティ３０７および３０９は、打撃フェースに垂直であり、フェースセンターを通過する仮想垂直面から０．５インチのところに置かれた、横方向の境界３１１および３１３によって区切られたゾーンの外側にその全体が位置することが好ましい。これらのキャビティ３０７、３０９はいずれも、効果的な性能に寄与するクラブヘッド３００の特徴に害を与えることなく除去され得る領域からの質量除去の制御を可能にする。これらのキャビティ３０７および３０９はまた、そこからクラブヘッド３００の他の位置に除去された質量の再分配も可能にして、たとえば、図１〜図８に示すクラブヘッドの実施形態に関して上述したいずれかの態様で、クラブヘッド３００の重心３３２の位置をさらに制御する。
【００９８】
トゥ側キャビティ３０９は、ヒール側キャビティ３０７よりも大きくなるように寸法設定されることが好ましい。たとえば、トゥ側キャビティ３０９は、ヒール側キャビティ３０７よりも深さが深いことが好ましい。追加的に、または代替的に、トゥ側キャビティ３０９は、ヒール側キャビティ３０７よりも特徴的な長さ（すなわち、キャビティの周辺部に沿った任意の２点間の最大距離）が大きいことが好ましい。追加的に、または代替的に、トゥ側キャビティ３０９は、好ましくは、ヒール側キャビティ３０７よりも移動したボリュームが大きい。これらの寸法は、たとえば、ホーゼル３１０が占める質量に対抗するために、クラブヘッド３００の重心３３２をフェースセンターに向かって横方向にシフトすることを可能にする。したがって、質量が除去され、それによって、クラブヘッド３００の重心３３２を、他の主要特質に悪影響を及ぼすことなく、中心に向かってシフトさせる。
【００９９】
図１１Ｄでは、ブレード部分３４８およびマッスル部分３５０を含む後部分３４２を有するゴルフクラブヘッド３００が示されている。この特定の実施形態では、ここでも、質量は、中央の相対的にソール方向位置から除去され、相対的にトゥ方向および上側方向位置に移動される。具体的には、ソール部分３０４は、上側ソール面３１５と、使用中に芝生と相互作用するように構成された下側ソール面３１７とを含む。上側ソール面３１５は、概してソール方向に延びる凹部３１９を含む。凹部３１９は、ヒール−トゥ方向に概ね中央に位置する。たとえば、凹部３１９のトゥに最も近い部分とヒールに最も近い部分との間の中間の位置は、１０ｍｍ以下、より好ましくは５ｍｍ以下の距離だけフェースセンターから横方向に離間される。この凹部３１９は、性能および感触を示す特質へのあらゆる悪影響を最小限に抑えるような質量除去を可能にする。いくつかの実施形態では、凹部３１９は、後方に取り付けられたインサートまたは（凹部３１９内に注がれ形成され得る）充填材料で少なくとも部分的に（場合によっては完全に）充填される。しかし、他の実施形態では、凹部３１９は、材料を部分的または完全に欠いたままであり、随意選択によりクラブヘッド３００の外部に開いている。いくつかの実施形態では、キャップが、凹部３１９に隣接するクラブヘッド表面部分と同一平面になるような態様で凹部３１９内に配置される。
【０１００】
凹部３１９に関連して、質量はまた、好ましくは、クラブヘッド３００のトゥ方向（好ましくは上側）領域に再配置される。たとえば、図１１Ｄに示すように、クラブヘッド３００のブレード部分１４８は、浅い上側凹部３２３を区切る周囲重み付け要素３２１を含む。浅い上側凹部３２３は、面取りされた上側トゥ方向周辺部分３２７を有する周辺部３２５を画定する。特に、面取りされた周辺部分３２７は、好ましくは、（打撃フェースに対して垂直であり、フェースセンターを通過する第１の仮想垂直面、および地面に対して平行であり、フィエースセンターを通過する第２の仮想垂直面によって画定された）クラブヘッド３００の上側およびトゥ方向の四分円内にその全体が位置する。さらに、面取りされた周辺部３２７は、第１の角のある接合部またはコーナー３２９（ａ）および第２の角のある接合部またはコーナー３２９（ｂ）を含み、面取りされた接合部３２７を、上側凹部３２３の周辺部３２５の隣接する部分から区切る。好ましくは、いくつかの実施形態では、面取りされた周辺部分３２７は、直線または線形エッジを含む。しかし、他のエッジタイプが想定され、たとえば弓形またはぎざぎざが想定される。
【０１０１】
面取りされた接合部３２７の存在は、クラブヘッド３００の上側およびトゥ方向領域への質量の再配置を可能にし、図１−８に示すクラブヘッドの実施形態に関して上述した所望の質量特性を達成するのを助ける。さらに、面取りされた接合部３２７は、性能に悪影響を及ぼさず、使用中にプレーヤの自信を乱さないようにしてそのような再配置を可能にする。たとえば、この特定の実施形態では、トップラインを太くしたり、過度の周囲重み付けをする（これらのいずれも、普通なら具体的には作用性を限定することにより、クラブヘッド３００の感触および性能に悪影響を及ぼし得る。）ことなく、上側領域に質量を追加することができる。
【０１０２】
図１２を参照すると、本開示の１つまたは複数の実施形態によるクラブヘッド４００が示されている。別段の記載がない限り、ゴルフクラブヘッド４００は、図１〜図８のゴルフクラブヘッド１００と同様であり、質量関連の特質および構造的な特質を含むそのすべての特質を具現する。ゴルフクラブヘッド４００は、これが異なる輪郭の後部分４４２を具現する点において異なる。特に、質量は、図１〜図８の実施形態に関して説明した質量関連特性を達成する目的で、ヒール方向位置からトゥ方向位置に再分配される。上述したように、これらの場合のそれぞれにおいて、全体の性能への悪影響を最小限に抑えるように、たとえば、実効的な跳ね返り、フェースセンターからの横方向に間隔を空けること以外の重心の位置ベースの局面および／または作用性を達成するように、質量の再配置が起こる。
【０１０３】
詳細には、ゴルフクラブヘッド４００は、ブレード部分４４８と、マッスル部分４５０とを含む。マッスル部分４５０は、ソール部分４０４の近位に位置し、ソール部分は、ソール上面４１５およびソール下面４１７を含む。ソールの上面４１５は、ソール方向に延びる凹部４１９を含む。一部の実施形態では、凹部４１９は、凹部トゥ端部および凹部ヒール端部の両方に囲まれている。しかし、（図示するような）他の実施形態では、凹部４１９は、たとえば、トゥ端部４３１において、ノッチ４３３によって開いている。
【０１０４】
さらに、いくつかの実施形態では、第２の凹部４３７が、ソール部分４０４の上面４１５からソール方向に延びる。第２の凹部４３７は、随意選択により、後方に取り付けられたインサート４３５をその内部に含み、収容する。しかし、代替的な実施形態では、充填材料が第２の凹部４３７に注がれ、適所で硬化される。
【０１０５】
好ましくは、インサート４３５は、７ｇ／ｃｍ3以上、より好ましくは９ｇ／ｃｍ3以上の密度を有する。好ましくは、そのような実施形態では、タングステンの供給によって密度が高められる。詳細には、インサート４３５は、少なくとも２０重量％、より好ましくは少なくとも４０重量％の量のタングステンを含む組成物を有する。一部の場合、インサート４３５は、鋼の、タングステンの、または他の金属の合金を含むことができる。他の実施形態では、インサートは、タングステンが含浸されたポリマー材料で妥協することができる。
【０１０６】
図１３Ａ〜１３Ｂを参照すると、本開示の１つまたは複数の実施形態によるクラブヘッド５００が示されている。別段の記載がない限り、ゴルフクラブヘッド５００は、図１〜図８のゴルフクラブヘッド１００と同様であり、質量関連の特質および構造的な特質を含むそのすべての特質を具現する。ゴルフクラブヘッド５００は、これが異なる輪郭の後部分５４２を具現する点において異なる。特に、質量は、図１〜図８の実施形態に関して説明した質量関連特性を達成する目的で、ヒール方向位置からトゥ方向位置に再分配される。上述したように、これらの場合のそれぞれにおいて、全体の性能への悪影響を最小限に抑えるように、たとえば、実効的な跳ね返り、フェースセンターからの横方向に間隔を空けること以外の重心の位置ベースの局面および／または作用性を達成するように、質量の再配置が起こる。
【０１０７】
詳細には、クラブヘッド５００は、下側マッスル部分５５０および上側ブレード部分５４８を含む後部分５４２を含む。ブレード部分５４８は、好ましくは、ゴルフボールにインパクトを与えるのに適合する打撃フェース（図示せず）と反対のほぼ平坦な後面５３９を備える。ブレード部分５４８は、厚さが変動することが好ましい。ブレード部分５４８は、厚さが上方向に向かって増大するように、好ましくは実質的には、ブレード部分５４８とマッスル部分５５０の間の接合部における第１の位置から後部分５４２のブレード部分５３９の後面５３９の最上部分にかけて増大するように、全体的に徐々に厚さが変動することが好ましい。追加的に、または代替的に、ブレード部分５４８の厚さは、ヒール方向にテーパになる。
【０１０８】
このような厚さの変動を有するようにブレード部分５４８を構造化することにより、図１〜８に示す本開示の実施形態に関して上述したように、重心５３２の位置を比較的中央に向かって横方向に制御するための手段が提供される。このような構造のトップライン厚さへの影響を低減するために、トップ部分５０２と後面５３９の間に斜め面５４１が位置することが好ましく、それによって従来のトップラインの厚さを保持するような態様での上述の質量再配置を可能にする。
【０１０９】
図１３Ｂを参照すると、クラブヘッド５００が断面１３Ｂで示されている。横断面１３Ｂは、打撃フェース５１６に対して垂直であり、フェースセンター５３０を通過する仮想垂直面に対応する。少なくともこの断面では、打撃フェース５１６に対して垂直に測定されるトップライン厚さＤ１２は、好ましくは７ｍｍ以下、より好ましくは６ｍｍ以下、さらにより好ましくは５ｍｍ〜６ｍｍである。ブレード部分５４８の斜め面５４１と後面５３９との間の接合部で測定される距離Ｄ１３は、好ましくはＤ１２より少なくとも１ｍｍ、より好ましくは少なくとも２ｍｍだけ大きい。追加的に、または代替的に、距離Ｄ１３は、好ましくは６ｍｍ以上、より好ましくは７ｍｍ以上、最も好ましくは７ｍｍから１１ｍｍの間である。これらのパラメータは、クラブヘッド５００の従来の外観、感触、性能、および／またはプレイ性に悪影響を及ぼすことなく、上述したような重心５３２の望ましい横方向シフトを可能にする。
【０１１０】
追加的に、または代替的に、図１３Ｂを再び参照すると、後面５３９は、垂直断面１３Ｂで見たとき、打撃フェース５１６に対して角度θを形成し、θは、０．５°以上、より好ましくは１．０°以上、最も好ましくは１°から４°の間である。これらのパラメータは、クラブヘッド５００の従来の外観、感触、性能、および／またはプレイ性に悪影響を及ぼすことなく、上述したような重心５３２の望ましい横方向シフトを可能にする。
【０１１１】
斜め面５４１は、好ましくは、最大幅の位置がクラブヘッド５００の上側のトゥに最も近いコーナーと概ね一致する、概して三日月形状を形成する。本明細書で使用されるように、上側のトゥに最も近いコーナーは、フェースセンター５３０の上方かつトゥ方向に位置する、クラブヘッド５００の周辺部に沿った点を指し、この点は、打撃フェース５１６に対して垂直であり、フェースセンター５３０を通過する仮想軸から最大の径方向距離で離間される。斜め領域５４１の幅は、好ましくは、そのようなコーナーからトゥからヒール方向に、およびそのようなコーナーから上下方向に、いずれの場合も後面５３９の周辺部に沿ってテーパになる。
【０１１２】
図１４Ａ〜図１４Ｃを参照すると、本開示の１つまたは複数の実施形態によるクラブヘッド６００が示されている。別段の記載がない限り、ゴルフクラブヘッド６００は、図１〜図８のゴルフクラブヘッド１００と同様であり、質量関連の特質および構造的な特質を含むそのすべての特質を具現する。ゴルフクラブヘッド６００は、これが異なる輪郭のソール部分６０４を具現する点において異なる。特に、質量は、図１〜図８の実施形態に関して説明した質量関連特性を達成する目的で、ヒール方向位置からトゥ方向位置に再分配される。上述したように、これらの場合のそれぞれにおいて、全体の性能への悪影響を最小限に抑えるように、たとえば、実効的な跳ね返り、フェースセンターからの横方向に間隔を空けること以外の重心の位置ベースの局面および／または作用性を達成するように、質量の再配置が起こる。
【０１１３】
図１４Ａ〜図１４Ｃを参照すると、ゴルフクラブヘッド６００は、トゥからヒール方向に全体的に厚さがテーパになるソール部分６０４を備える。図示するように、仮想垂直中心面６２８は、打撃フェース６１６に対して垂直であり、打撃フェース６１６のフェースセンター（図示せず）を通過する。好ましくは、ソール部分６０４は、平面６２８のトゥ方向に位置する（打撃フェース６１６からこれに対して垂直な方向に測定される）最大厚さＤ１４を含む。より好ましくは、最大ソール厚さＤ１４に関連するソール部分６０４上の位置は、０．５＊Ｄ７以上の距離だけ中心垂直面６２８から離間される。
【０１１４】
追加的にまたは代替的に、クラブヘッド６００のソール部分６０４は、最小ソール厚さＤ１５と、最小ソール厚さＤ１５に関連するソール上の対応する位置とを含む。好ましくは、この位置は、仮想垂直面６２８のヒール方向に位置する。より好ましくは、この位置は、０．５＊Ｄ７以上の距離だけ仮想面のヒール方向に位置する。
【０１１５】
追加的に、または代替的に、最大ソール厚さＤ１４と最小ソール厚さＤ１５との差は、５．５ｍｍ以上、より好ましくは６ｍｍ以上、最も好ましくは７ｍｍ以上である。上述したように、これらの場合のそれぞれにおいて、全体の性能への悪影響を最小限に抑えるように、たとえば、実効的な跳ね返り、フェースセンターからの横方向に間隔を空けること以外の重心の位置ベースの局面および／または作用性を達成するように、質量の再配置が起こる。
【０１１６】
図１５Ａ〜図１５Ｂを参照すると、本開示の１つまたは複数の実施形態による代替のクラブヘッド７００が示されている。別段の記載がない限り、ゴルフクラブヘッド７００は、図１〜図８のゴルフクラブヘッド１００と同様であり、質量関連の特質および構造的な特質を含むそのすべての特質を具現する。ゴルフクラブヘッド７００は、これが異なる輪郭の後部分７４２を具現する点において異なる。特に、質量は、図１〜図８の実施形態に関して説明した質量関連特性を達成する目的で、ヒール方向位置からトゥ方向位置に再分配される。上述したように、これらの場合のそれぞれにおいて、全体の性能への悪影響を最小限に抑えるように、たとえば、実効的な跳ね返り、フェースセンターからの横方向に間隔を空けること以外の重心の位置ベースの局面および／または作用性を達成するように、質量の再配置が起こる。
【０１１７】
詳細には、後部分７４２は、上側ブレード部分７４８と下側マッスル部分７５０とを含む。ブレード部分７４８は、ほぼ均一な厚さの部分を含み、ほぼ平坦である後面７３９を含む。好ましくは、質量要素７４３が、後面７３９の上側のトゥ領域内に配置される。いくつかの実施形態では、質量要素７３９は鋳造されており、ほぼ均一な厚さの概して隆起した領域を構成することができる。代替的に、または追加的に、隆起した領域７４３は、テクスチャ加工された、たとえば表面ミル加工されたパターンを含む後面７４５を含むことができる。
【０１１８】
代替的な実施形態では、質量要素７４３は、後方に取り付けられた重み付きインサートまたは円形模様を構成することができる（図１５Ｂを参照）。好ましくは、そのような実施形態では、インサート７４３は、クラブヘッドの本体よりも密度が大きい。好ましくは、インサート７４３は、７ｇ／ｃｍ3以上、より好ましくは９ｇ／ｃｍ3以上の密度を有する。好ましくは、そのような実施形態では、タングステンの供給によって密度が高められる。具体的には、インサート７４３は、タングステンを少なくとも２０重量％、より好ましくは少なくとも４０重量％の量で含む組成を有する。一部の場合、インサート７４３は、鋼、タングステン、または他の金属の合金を含むことができる。他の実施形態では、インサートは、タングステンが含浸されたポリマー材料で妥協することができる。
【０１１９】
インサート７４３は、機械的手段、たとえばねじ付き締結具もしくは締まりばめなどによって、または化学的接着剤、たとえば、随意選択により２層の接着テープの間に挟まれた粘弾性材料を含む両面テープなどによって取り付けられ得る。いくつかの実施形態では、質量要素７４３は、ブレード部分７４８の周辺部から離間される。他の実施形態では、質量要素７４３の側縁７４７は、クラブヘッド７００のブレード部分７４８の周辺部と実質的に同一平面にある。特に、質量は、図１〜図８の実施形態に関して説明した質量関連特性を達成する目的で、ヒール方向位置からトゥ方向位置に再分配される。上述したように、これらの場合のそれぞれにおいて、全体の性能への悪影響を最小限に抑えるように、たとえば、実効的な跳ね返り、フェースセンターからの横方向に間隔を空けること以外の重心の位置ベースの局面および／または作用性を達成するように、質量の再配置が起こる。
【０１２０】
図１６Ａ〜図１６Ｂを参照すると、本開示の１つまたは複数の実施形態による代替のクラブヘッド８００が示されている。別段の記載がない限り、ゴルフクラブヘッド８００は、図１〜図８のゴルフクラブヘッド１００と同様であり、質量関連の特質および構造的な特質を含むそのすべての特質を具現する。ゴルフクラブヘッド８００は、これが異なる輪郭の後部分８４２を具現する点において異なる。特に、質量は、図１〜図８の実施形態に関して説明した質量関連特性を達成する目的で、ヒール方向位置からトゥ方向位置に再分配される。上述したように、これらの場合のそれぞれにおいて、全体の性能への悪影響を最小限に抑えるように、たとえば、実効的な跳ね返り、フェースセンターからの横方向に間隔を空けること以外の重心の位置ベースの局面および／または作用性を達成するように、質量の再配置が起こる。
【０１２１】
後部分８４２は、上側ブレード部分８４８と下側マッスル部分８５０とを含む。ブレード部分８４８およびマッスル部分８５０は、後面８３９を画定する。後面８３９内には、降下領域８４９が設けられている。降下領域８４９は、好ましくは、後面８３９の全体的な輪郭から凹んでおり、そこから実質的に一定の深さを含む。実質的に一定の深さは、好ましくは０．２５ｍｍ以上、より好ましくは０．５ｍｍ以上、さらに好ましくは１．０ｍｍ以上である。
【０１２２】
追加的に、または代替的に、降下領域８４９が占める後面８３９の表面領域の大部分は、クラブヘッド８００（図示せず）の打撃フェースのフェースセンターのヒール方向に位置する（図１６Ａおよび１８Ｂを参照）。より好ましくは、降下領域８４９は、クラブヘッド８００（図１６Ａ参照）の打撃フェースのフェースセンターのヒール方向にその全体が位置する。いくつかの実施形態では、降下領域８４９は、クラブヘッド８００の周囲に隣接する（図１６Ａを参照）。しかし、代替の実施形態では、降下領域８４９は、クラブヘッドの周囲から離間される（図１８Ｂを参照）。いくつかのそのような実施形態では、降下領域８４９は、（平面図で考えると）完全に囲まれている。
【０１２３】
追加的にまたは代替的に、後方に取り付けられたインサートまたは注入された充填剤８５１が、降下領域内に少なくとも部分的に、または随意により完全に位置する。一部の場合、インサート８５１はいずれも、降下領域８４９を実質的に充填し、クラブヘッド８００後面８３９に隣接する部分の輪郭の上方に降下領域８４９から延びる。そのような場合、インサート８５１の密度は、好ましくは、本体の密度より小さく、および／または４ｇ／ｃｃ以下である。
【０１２４】
これらの特質は、図１〜図８の実施形態に関して記載された質量関連特性を達成する目的で、ヒール方向位置からトゥ方向位置への質量の再分配を提供する。上述したように、これらの場合のそれぞれにおいて、全体の性能への悪影響を最小限に抑えるように、たとえば、実効的な跳ね返り、フェースセンターからの横方向に間隔を空けること以外の重心の位置ベースの局面および／または作用性を達成するように、質量の再配置が起こる。
【０１２５】
図１７Ａ〜図１７Ｄを参照すると、本開示の１つまたは複数の実施形態による代替のクラブヘッド９００が示されている。別段の記載がない限り、ゴルフクラブヘッド９００は、図１〜図８のゴルフクラブヘッド１００と同様であり、質量関連の特質および構造的な特質を含むそのすべての特質を具現する。ゴルフクラブヘッド９００は、これが異なる輪郭の後部分９４２を具現する点において異なる。特に、質量は、図１〜図８の実施形態に関して説明した質量関連特性を達成する目的で、ヒール方向位置からトゥ方向位置に再分配される。上述したように、これらの場合のそれぞれにおいて、全体の性能への悪影響を最小限に抑えるように、たとえば、実効的な跳ね返り、フェースセンターからの横方向に間隔を空けること以外の重心の位置ベースの局面および／または作用性を達成するように、質量の再配置が起こる。
【０１２６】
特に図１７Ａを参照すると、ゴルフクラブヘッド９００は、上側ブレード部分９４８と、下側マッスル部分９５０と、ホーゼル９１０とを含む。複数の降下領域９４９が、クラブヘッド９００のヒール側に近位のさまざまな位置（たとえば、打撃フェースに対して垂直であり、そのフェースセンターを通過する仮想垂直面のヒール方向）に配置される。
【０１２７】
降下領域９４９は、好ましくは、クラブヘッド９００の全体的な輪郭から凹んでおり、そこから実質的に一定の深さを含む。実質的に一定の深さは、好ましくは０．２５ｍｍ以上、より好ましくは０．５ｍｍ以上、最も好ましくは１．０ｍｍ以上である。いくつかの実施形態では、降下領域９４９は、互いに深さが変動する。他の実施形態では、降下領域９４９は、互いに実質的に一定の深さのものである。
【０１２８】
追加的に、または代替的に、降下領域９４９が占めるクラブヘッド９００の表面領域の大部分は、クラブヘッド９００（図示せず）の打撃フェースのフェースセンターのヒール方向に位置する。より好ましくは、降下領域９４９は、クラブヘッド９００の打撃フェースのフェースセンターのヒール方向にその全体が位置する。いくつかの実施形態では、降下領域９４９は、クラブヘッド９００の周辺部に隣接している（およびエッジを共有している）。
【０１２９】
好ましくは、いくつかの実施形態では、クラブヘッド９００の外面のいくつかの領域において、降下領域９４９は、それらの間に１つまたは複数のトラス（またはリブ）９５３を形成するように離間される。好ましくは、トラス９５３は、実質的に一定の幅のものであり、少なくともホーゼル９１０に近位のクラブヘッド９００の外面上に位置する。一部の場合では、トラス９５３はジグザグパターンを形成し、これによって降下領域９４９は交互の三角形の特徴を形成する。特に、質量は、図１〜図８の実施形態に関して説明した質量関連特性を達成する目的で、ヒール方向位置からトゥ方向位置に再分配される。上述したように、これらの場合のそれぞれにおいて、全体の性能への悪影響を最小限に抑えるように、たとえば、実効的な跳ね返り、フェースセンターからの横方向に間隔を空けること以外の重心の位置ベースの局面および／または作用性を達成するように、質量の再配置が起こる。
【０１３０】
図１７Ｃに示すようなゴルフクラブヘッド９００を参照すると、この特定の実施形態では、単一の降下領域９４９が、ホーゼル９１０の長手方向に、たとえば、仮想中心ホーゼル軸９１２と平行に長手方向に延びる。段付き領域９４９は、全体的に弓形および／または半径状である上側縁および下側縁によって離間された２つのほぼ平行な線状の側縁を含む。
【０１３１】
図１７Ｄに示すようなゴルフクラブヘッド９００を参照すると、この特定の実施形態では、降下領域９４９は、ホーゼル９１０の長手方向に、たとえば、仮想中心ホーゼル軸９１２に平行に長手方向に延びる。段付き領域９４９は、上方向（すなわち、ホーゼル９１０の先端部に向かって）幅がテーパになり、ホーゼル本体の接合部のフィレット状輪郭と概ね同様の態様でソール方向に広がっている。
【０１３２】
図１８を参照すると、本開示の１つまたは複数の実施形態によるクラブヘッド１０００が示されている。別段の記載がない限り、ゴルフクラブヘッド１０００は、図１〜図８のゴルフクラブヘッド１００と同様であり、質量関連の特質および構造的な特質を含むそのすべての特質を具現する。ゴルフクラブヘッド１０００は、これが異なる構造のホーゼル１０１０を具現する点において特に異なる。特に、質量は、図１〜図８の実施形態に関して説明した質量関連特性を達成する目的で、ヒール方向位置からトゥ方向位置に再分配される。上述したように、これらの場合のそれぞれにおいて、全体の性能への悪影響を最小限に抑えるように、たとえば、実効的な跳ね返り、フェースセンターからの横方向に間隔を空けること以外の重心の位置ベースの局面および／または作用性を達成するように、質量の再配置が起こる。
【０１３３】
再び図１８を参照すると、ゴルフクラブヘッド１０００は、トップ部分１００２、底部分１００４、ヒール部分１００８、およびトゥ部分１００６を有する本体を含む。本体はさらに、上側ブレード部分１０４８および下側マッスル部分１０５０を画定する。ホーゼル１０１０は、ヒール部分１００８に近位の本体上の位置から延びる。この特定の実施形態では、ホーゼル１０１０は、本体よりも小さい密度の低密度材料を含む。好ましくは、低密度材料の密度は４ｇ／ｃｃ以下である。いくつかの実施形態では、低密度材料は、好ましくはホーゼル１０１０の凹状領域内に位置する、後方に取り付けられたインサートまたは注ぎ込まれ定位置に硬化された材料の形態をとる。しかし、他の実施形態では、図示するように、ホーゼル１０１０の一部分は、低密度材料から形成され、機械的手段、たとえば、締まりばめおよび／またはねじボルト、または化学接着材、溶接またはろう付けを使用してクラブヘッド１０００の残りの部分に固定される。低密度材料自体は、残りの本体部分の相補的ねじ領域と回転可能に接続されるように構成されたねじ領域を含むことができる。これらの特質が提供されると、質量は、図１〜図８の実施形態に関して説明した質量関連特性を達成する目的で、ヒール方向位置からトゥ方向位置に再分配することができる。上述したように、これらの場合のそれぞれにおいて、全体の性能への悪影響を最小限に抑えるように、たとえば、実効的な跳ね返り、フェースセンターからの横方向に間隔を空けること以外の重心の位置ベースの局面および／または作用性を達成するように、質量の再配置が起こる。
【０１３４】
上記に概説した例に関連してさまざまな特徴を説明してきたが、これらの特徴および／または例のさまざまな代替、変更、変形および／または改良が可能になり得る。したがって、上記に記載された例は単なる例示であることが意図されている。根底にある原理の広範な趣旨および範囲から逸脱することなく、さまざまな変更を行うことができる。
【図１】
2018057834.tif 000004
【図２】
2018057834.tif 000005
【図３】
2018057834.tif 000006
【図４】
2018057834.tif 000007
【図５】
2018057834.tif 000008
【図６】
2018057834.tif 000009
【図７】
2018057834.tif 000010
【図８】
2018057834.tif 000011
【図９】
2018057834.tif 000012
【図１０Ａ】
2018057834.tif 000013
【図１０Ｂ】
2018057834.tif 000014
【図１０Ｃ】
2018057834.tif 000015
【図１０Ｄ】
2018057834.tif 000016
【図１０Ｅ】
2018057834.tif 000017
【図１０Ｆ】
2018057834.tif 000018
【図１１Ａ】
2018057834.tif 000019
【図１１Ｂ】
2018057834.tif 000020
【図１１Ｃ】
2018057834.tif 000021
【図１１Ｄ】
2018057834.tif 000022
【図１２】
2018057834.tif 000023
【図１３Ａ】
2018057834.tif 000024
【図１３Ｂ】
2018057834.tif 000025
【図１４Ａ】
2018057834.tif 000026
【図１４Ｂ】
2018057834.tif 000027
【図１４Ｃ】
2018057834.tif 000028
【図１５Ａ】
2018057834.tif 000029
【図１５Ｂ】
2018057834.tif 000030
【図１６Ａ】
2018057834.tif 000031
【図１６Ｂ】
2018057834.tif 000032
【図１７Ａ】
2018057834.tif 000033
【図１７Ｂ】
2018057834.tif 000034
【図１７Ｃ】
2018057834.tif 000035
【図１７Ｄ】
2018057834.tif 000036
【図１８】
2018057834.tif 000037
【手続補正書】
【提出日】平成29年11月1日(2017.11.1)
【手続補正１】
【補正対象書類名】特許請求の範囲
【補正対象項目名】全文
【補正方法】変更
【補正の内容】
【特許請求の範囲】
【請求項１】
ゴルフクラブヘッドであって、基準位置に配向されたとき、
打撃フェースであって、フェースセンター、リーディングエッジ、および該打撃フェースに対してほぼ平行な仮想打撃フェース面を有する打撃フェースと、
ソール部分と、
トップ部分と、
後部分と、
４０°以上のロフトＬと、
該打撃フェース面に対して垂直であり、該フェースセンターを通過する仮想垂直面と、
６．０ｍｍ以下の距離Ｄ１だけヒール−トゥ方向に該仮想垂直面から離間されたクラブヘッド重心と、
仮想ホーゼル軸と、ゴルフシャフトを受け入れるように構成された内部ボアとを含むホーゼルであって、該内部ボアは、周辺側壁と、該ゴルフクラブシャフトの先端部に当接するように構成されたシャフト当接面とを含み、該ホーゼルは、さらに、該内部ボアの該当接面からソール方向に延びる補助凹部を含む、ホーゼルと
を備える、ゴルフクラブヘッド。
【請求項２】
該当接面が、該ホーゼル軸の半径方向に測定して、１ｍｍ以上の幅を有する環状レッジを含む、請求項１に記載のゴルフクラブヘッド。
【請求項３】
ゴルフクラブヘッドであって、基準位置に配向されたとき、
ソール部分と、
トップ部分と、
ヒール部分と、
トゥ部分と、
打撃フェースであって、フェースセンター、リーディングエッジ、該打撃フェースに対してほぼ平行な仮想打撃フェース面、およびヒールに最も近い部分およびトゥに最も近い部分を有する複数のスコアラインを有する打撃フェースと、
ゴルフシャフトを受けるように構成された内部ボアを有するホーゼル部分と、
該打撃フェース面に垂直であり、該複数のスコアラインの該ヒールに最も近い部分を通過する第１の仮想垂直面と、
該第１の仮想垂直面のヒール方向に位置する該クラブヘッドの全体部分として画定されたヒールに最も近い領域と、
その大部分が該ヒールに最も近い領域内に位置するようにボリュームを区切る凹状領域と、
４０°以上のロフトＬと、
該打撃フェース面に対して垂直であり、該フェースセンターを通過する、第２の仮想垂直面と、
６．０ｍｍ以下の距離Ｄ１だけヒール−トゥ方向に該第２の仮想垂直面から離間されたクラブヘッド重心と
を備える、ゴルフクラブヘッド。
【請求項４】
該凹状領域が、全体的に、該第１の仮想垂直面のヒール方向に位置する、請求項３に記載のゴルフクラブヘッド。
【請求項５】
該凹状領域が、該ホーゼル部分の該内部ボアと連通している、請求項３に記載のゴルフクラブヘッド。
【請求項６】
ゴルフクラブヘッドであって、仮想地面に対して基準位置に配向されたとき、
打撃フェースであって、フェースセンター、リーディングエッジ、および該打撃フェースに対してほぼ平行な仮想打撃フェース面を有する打撃フェースと、
ソール部分と、
トップ部分と、
後部分と、
４０°以上のロフトＬと、
該打撃フェース面に対して垂直であり、該フェースセンターを通過する仮想垂直面と、
該リーディングエッジと該仮想垂直面との交点に位置する点Ｐ１と、
５．５ｍｍ以下の距離Ｄ１だけヒール−トゥ方向に該仮想垂直面から離間された重心であって、Ｄ２≦３．５８ｍｍ−（０．０５３ｍｍ／°）×Ｌとなるような、最小距離Ｄ２だけ該打撃フェース面から離間され、Ｄ３≧２９．５ｍｍ−（０．３ｍｍ／°）×Ｌとなるような、距離Ｄ３だけ該点Ｐ１から垂直方向に離間される重心と
を備える、
ゴルフクラブヘッド。
【請求項７】
ゴルフクラブヘッドであって、基準位置に配向されたとき、
打撃フェースであって、フェースセンター、リーディングエッジ、および該打撃フェースに対してほぼ平行な仮想打撃フェース面を有する打撃フェースと、
ソール部分と、
トップ部分と、
後部分と、
４０°以上のロフトＬと、
該打撃フェース面に対して垂直であり、該フェースセンターを通過する仮想垂直面と、
該リーディングエッジと該仮想垂直面との交点に位置する点Ｐ１と、
５．０ｍｍ以下の距離Ｄ１だけヒール−トゥ方向に該仮想垂直面から離間され、０．５０ｍｍ以下の最小距離Ｄ２だけ該打撃フェース面から離間され、Ｄ３≧２９．５ｍｍ−（０．３ｍｍ／°）×Ｌとなるような、距離Ｄ３だけ該点Ｐ１から垂直に離間される重心と
を備える、
ゴルフクラブヘッド。
【請求項８】
該補助凹部が、該ホーゼル軸の方向に測定して、５ｍｍ以上の深さを含む、請求項１又は２に記載のゴルフクラブヘッド。
【請求項９】
該距離Ｄ１が、５．５ｍｍ以下である、請求項１又は２に記載のゴルフクラブヘッド。
【請求項１０】
該距離Ｄ１が、５．０ｍｍ以下である、請求項９に記載のゴルフクラブヘッド。
【請求項１１】
該重心が、２．０ｍｍ以下の最小距離Ｄ２だけ前記打撃フェース面から離間される、請求項１〜４のいずれかに記載のゴルフクラブヘッド。
【請求項１２】
該距離Ｄ２が、１．０ｍｍ以下である、請求項１１に記載のゴルフクラブヘッド。
【請求項１３】
該リーディングエッジと該仮想垂直面との交点に位置する点Ｐ１
さらに備え、
該重心は、Ｄ３≧２９．５ｍｍ−（０．３ｍｍ／°）×Ｌとなるような、距離Ｄ３だけ該点Ｐ１から垂直方向に離間される、
請求項１又は２に記載のゴルフクラブヘッド。
【請求項１４】
Ｄ３≧２９．８ｍｍ−（０．３ｍｍ／°）×Ｌである、請求項１２に記載のゴルフクラブヘッド。
【請求項１５】
該補助凹部が、少なくとも部分的に充填されている、請求項１又は２に記載のゴルフクラブヘッド。
【請求項１６】
該補助凹部が、該ソール方向に幅がテーパになる、請求項１又は２に記載のゴルフクラブヘッド。
【請求項１７】
上側端部および仮想ホーゼル軸を有するホーゼルと、
該ホーゼル上側端部から地面まで該仮想ホーゼル軸に沿って測定して、７５ｍｍ以下である距離Ｄ４と
をさらに備える、請求項１から４のいずれかに記載のゴルフクラブヘッド。
【請求項１８】
該打撃フェースが、さらに、表面ミル加工されたテクスチャパターンを含む、請求項１から４のいずれかに記載のゴルフクラブヘッド。
【請求項１９】
５．７０ｍｍ以下の最大トップライン厚さＤ５をさらに備える、請求項１から４のいずれかに記載のゴルフクラブヘッド。
【請求項２０】
Ｄ３≧２９．８ｍｍ−（０．３ｍｍ／°）×Ｌである、請求項３又は４に記載のゴルフクラブヘッド。
【外国語明細書】
2018057834000001.pdf